(57)【要約】      （修正有）【課題】受信機が信号を復号するときに、同一のリソースブロック上の他ＵＥの信号を予め推定して干渉除去を行う操作を不要とし、受信機の複雑度合いを低下させる送信装置及び送信方法を提供する。【解決手段】送信装置は、複数のＵＥのためのデータをそれぞれ対応する符号化信号に符号化する符号化部と、複数のＵＥのための符号化信号を協調変調して変調信号を生成する変調部と、変調信号を送信する送信部と、を有する。変調部は、変調信号のコンスタレーションの各信号点がグレイマッピングの規則を満たすように、複数のＵＥのための符号化信号のビットをそれぞれの信号点に対応するシンボルにマッピングすることにより協調変調を行う。【選択図】図３
2016036136.tif 000002
【特許請求の範囲】
【請求項１】
送信装置であって、
複数のＵＥのためのデータをそれぞれ対応する符号化信号に符号化する符号化部と、
前記複数のＵＥのための符号化信号を協調変調して変調信号を生成する変調部、ただし前記変調部は、前記変調信号のコンスタレーションの各信号点がグレイマッピングの規則を満たすように、前記複数のＵＥのための符号化信号のビットを前記コンスタレーションのそれぞれの信号点に対応するシンボルにマッピングすることにより前記協調変調を行うと、
前記変調信号を送信する送信部と、
を有する送信装置。
【請求項２】
前記変調部は、セルの周辺にあるＵＥのための符号化信号のビットをそれぞれの信号点に対応するシンボルの上位にマッピングし、且つセルの中心にあるＵＥのための符号化信号のビットを前記シンボルの下位にマッピングする請求項１に記載の送信装置。
【請求項３】
前記変調部は、前記複数のＵＥのための符号化信号のビットと前記コンスタレーションのそれぞれの信号点に対応するシンボルの間のマッピング関係を示すマッピングテーブルに基づいて前記複数のＵＥのための符号化信号のビットを前記コンスタレーションのそれぞれの信号点に対応するシンボルにマッピングする請求項２に記載の送信装置。
【請求項４】
前記変調部は、前記コンスタレーションのそれぞれの信号点に対応するシンボルについて、前記シンボルにマッピングされるセルの周辺にあるＵＥのための符号化信号のビットを確定してから、前記シンボルにマッピングされるセルの周辺にあるＵＥのための符号化信号のビットに基づいて前記シンボルにマッピングされるセルの中心にあるＵＥのための符号化信号のビットを確定する請求項２に記載の送信装置。
【請求項５】
前記変調部は、それぞれのＵＥに割り当てられる変調・符号化方式に基づいて、前記変調信号のコンスタレーションのそれぞれの信号点に対応するシンボルにマッピングされる当該ＵＥのための符号化信号のビットの数を確定する請求項１に記載の送信装置。
【請求項６】
前記変調信号のコンスタレーションのそれぞれの信号点に対応するシンボルにマッピングされる同一のＵＥのための符号化信号のビットの数は、異なる周波数サブバンドにより異なる請求項１または５に記載の送信装置。
【請求項７】
前記変調部は、前記複数のＵＥに割り当てるそれぞれの電力及びビット数に基づいて、前記変調信号のコンスタレーションの各信号点の位置を確定する請求項５に記載の送信装置。
【請求項８】
前記送信部は、さらに、前記変調信号を復調するための制御情報を送信する請求項１に記載の送信装置。
【請求項９】
前記制御情報は、それぞれのＵＥの変調・符号化方式を示す情報及びそれぞれのＵＥの干渉除去の順序を示す情報を含み、前記それぞれのＵＥの変調・符号化方式を示す情報は、前記コンスタレーションにおけるそれぞれの信号点に対応するシンボルにマッピングされる当該ＵＥのための符号化信号のビットの数を確定するために用いられ、前記それぞれのＵＥの干渉除去の順序を示す情報は、前記コンスタレーションにおけるそれぞれの信号点に対応するシンボルにマッピングされる当該ＵＥのための符号化信号のビットの位置を確定するために用いられる請求項８に記載の送信装置。
【請求項１０】
前記制御情報は、それぞれのＵＥの干渉除去の順序を示す情報と前記コンスタレーションにおけるそれぞれの信号点に対応するシンボルにマッピングされるそれぞれのＵＥのための符号化信号のビットの数を示す情報を含み、前記それぞれのＵＥの干渉除去の順序を示す情報は、前記コンスタレーションにおけるそれぞれの信号点に対応するシンボルにマッピングされる当該ＵＥのための符号化信号のビットの位置を確定するために用いられる請求項８に記載の送信装置。
【請求項１１】
前記制御情報は、前記コンスタレーションにおけるそれぞれの信号点に対応するシンボルにマッピングされるそれぞれのＵＥのための符号化信号のビットの数及び位置を示す情報を含む請求項８に記載の送信装置。
【請求項１２】
前記送信部は、物理下りリンク制御チャネル及び／または無線リソース制御シグナリングにより前記制御情報を送信する請求項８ないし１１のいずれかに記載の送信装置。
【請求項１３】
送信方法であって、
複数のＵＥのためのデータをそれぞれ対応する符号化信号に符号化するステップと、
前記複数のＵＥのための符号化信号を協調変調して変調信号を生成するステップ、ただし前記変調信号のコンスタレーションの各信号点がグレイマッピングの規則を満たすように、前記複数のＵＥのための符号化信号のビットを前記コンスタレーションのそれぞれの信号点に対応するシンボルにマッピングすることにより前記協調変調を行うと、
前記変調信号を送信するステップと、
を有する送信方法。
【請求項１４】
セルの周辺にあるＵＥのための符号化信号のビットをそれぞれの信号点に対応するシンボルの上位にマッピングし、且つセルの中心にあるＵＥのための符号化信号のビットを前記シンボルの下位にマッピングする請求項１３に記載の送信方法。
【請求項１５】
前記複数のＵＥのための符号化信号のビットを前記変調信号のコンスタレーションのそれぞれの信号点に対応するシンボルにマッピングするステップは、
前記複数のＵＥのための符号化信号のビットと前記コンスタレーションのそれぞれの信号点に対応するシンボルの間のマッピング関係を示すマッピングテーブルに基づいて前記複数のＵＥのための符号化信号のビットを前記コンスタレーションのそれぞれの信号点に対応するシンボルにマッピングするステップを含む請求項１４に記載の送信方法。
【請求項１６】
前記複数のＵＥのための符号化信号のビットを前記変調信号のコンスタレーションのそれぞれの信号点に対応するシンボルにマッピングするステップは、
前記コンスタレーションのそれぞれの信号点に対応するシンボルについて、前記シンボルにマッピングされるセルの周辺にあるＵＥのための符号化信号のビットを確定するステップと、
前記シンボルにマッピングされるセルの周辺にあるＵＥのための符号化信号のビットに基づいて前記シンボルにマッピングされるセルの中心にあるＵＥのための符号化信号のビットを確定するステップと、
を有する請求項１４に記載の送信方法。
【請求項１７】
それぞれのＵＥに割り当てられる変調・符号化方式に基づいて、前記変調信号のコンスタレーションのそれぞれの信号点に対応するシンボルにマッピングされる当該ＵＥのための符号化信号のビットの数を確定する請求項１３に記載の送信方法。
【請求項１８】
前記変調信号のコンスタレーションのそれぞれの信号点に対応するシンボルにマッピングされる同一のＵＥのための符号化信号のビットの数は、異なる周波数サブバンドにより異なる請求項１３または１７に記載の送信方法。
【請求項１９】
前記複数のＵＥに割り当てるそれぞれの電力及びビット数に基づいて、前記変調信号のコンスタレーションの各信号点の位置を確定する請求項１７に記載の送信方法。
【請求項２０】
前記変調信号を復調するための制御情報を送信するステップをさらに有する請求項１３に記載の送信方法。
【請求項２１】
前記制御情報は、それぞれのＵＥの変調・符号化方式を示す情報及びそれぞれのＵＥの干渉除去の順序を示す情報を含み、前記それぞれのＵＥの変調・符号化方式を示す情報は、前記コンスタレーションにおけるそれぞれの信号点に対応するシンボルにマッピングされる当該ＵＥのための符号化信号のビットの数を確定するために用いられ、前記それぞれのＵＥの干渉除去の順序を示す情報は、前記コンスタレーションにおけるそれぞれの信号点に対応するシンボルにマッピングされる当該ＵＥのための符号化信号のビットの位置を確定するために用いられる請求項２０に記載の送信方法。
【請求項２２】
前記制御情報は、それぞれのＵＥの干渉除去の順序を示す情報と前記コンスタレーションにおけるそれぞれの信号点に対応するシンボルにマッピングされるそれぞれのＵＥのための符号化信号のビットの数を示す情報を含み、前記それぞれのＵＥの干渉除去の順序を示す情報は、前記コンスタレーションにおけるそれぞれの信号点に対応するシンボルにマッピングされる当該ＵＥのための符号化信号のビットの位置を確定するために用いられる請求項２０に記載の送信方法。
【請求項２３】
前記制御情報は、前記コンスタレーションにおけるそれぞれの信号点に対応するシンボルにマッピングされるそれぞれのＵＥのための符号化信号のビットの数及び位置を示す情報を含む請求項２０に記載の送信方法。
【請求項２４】
物理下りリンク制御チャネル及び／または無線リソース制御シグナリングにより前記制御情報を送信する請求項２０ないし２３のいずれかに記載の送信方法。
【発明の詳細な説明】
【技術分野】
【０００１】
本発明は、無線通信分野に関し、具体的には無線通信システム（特に非直交多元接続（ＮＯＭＡ）無線通信システム）において使用する送信装置及び送信方法に関する。
【背景技術】
【０００２】
非直交多元接続（ＮＯＭＡ）無線通信技術は、３ＧＰＰ(3rd  Generation  Partnership  Project)が研究しているＬＴＥ(Long  Term  Evolution)release  １３において提案された新しい無線アクセス技術である。図１に示すように、ＮＯＭＡシステムにおいて、それぞれの周波数リソースブロック（例えば周波数サブバンド）において複数のＵＥのためのデータを多重してシステムのスループットを向上させることができる。ただし、異なる電力と逐次干渉除去（ＳＩＣ）順序を用いることによりそれぞれの周波数リソースブロックにおいて多重された各ＵＥのためのデータを区別することができ、前記ＳＩＣ順序はそれぞれの周波数リソースブロックにおいて多重される各ＵＥのためのデータの復調順序を示す。
【０００３】
従来のＮＯＭＡシステムにおいて、送信機側で（例えば基地局で）、一つの周波数リソースブロックにおいて多重される複数のＵＥのためのデータを符号化した後に、それぞれ変調されて各ＵＥのための変調信号を生成し、その後に各ＵＥに割り当てられた電力に基づいて各ＵＥのための変調信号を重畳して合成信号を生成し、当該合成信号に対して様々な処理（例えば逆高速フーリエ変換、ＣＰ（Ｃｙｃｌｉｃ  Ｐｒｅｆｉｘ）付加など）を行ってから受信機に送信しなければならない。しかしながら、セルの中心にあるＵＥが必要な信号を復号化するときは、予めセルの周辺にあるＵＥの信号を検出し、セルの周辺にあるＵＥの信号に対して干渉除去を行ってから自己の信号を検出しなければならず、受信機の複雑度合いを増加させる。
【発明の概要】
【発明が解決しようとする課題】
【０００４】
本発明の一つの目的は、無線通信システム（特にＮＯＭＡ無線通信システム）において使用される送信装置及び装置方法であって、受信機側がセルの中心にあるＵＥの信号を復号するときに干渉除去操作を行わなくてもよいように、新しい方式で複数のＵＥのための符号化信号を変調し、受信機の複雑度合いを低下させる送信装置及び装置方法を提供することである。
【課題を解決するための手段】
【０００５】
本発明の一つの側面によれば、送信装置であって、当該送信装置は、複数のＵＥのためのデータをそれぞれ対応する符号化信号に符号化する符号化部と、前記複数のＵＥのための符号化信号を協調変調して変調信号を生成する変調部、ただし前記変調部は、前記変調信号のコンスタレーションの各信号点がグレイマッピングの規則を満たすように、前記複数のＵＥのための符号化信号のビットを前記コンスタレーションのそれぞれの信号点に対応するシンボルにマッピングすることにより前記協調変調を行うと、前記変調信号を送信する送信部と、を有する送信装置を提供する。
【０００６】
本発明のもう一つの側面によれば、送信方法であって、当該送信方法は、複数のＵＥのためのデータをそれぞれ対応する符号化信号に符号化するステップと、前記複数のＵＥのための符号化信号を協調変調して変調信号を生成するステップ、ただし前記変調信号のコンスタレーションの各信号点がグレイマッピングの規則を満たすように、前記複数のＵＥのための符号化信号のビットを前記コンスタレーションのそれぞれの信号点に対応するシンボルにマッピングすることにより前記協調変調を行うと、前記変調信号を送信するステップと、を有する送信方法を提供する。
【発明の効果】
【０００７】
前記送信装置及び送信方法を用いれば、複数の周波数リソースブロック（例えば周波数サブバンド）に多重される複数のＵＥのための符号化信号を、互いに独立して変調するのではなく、取得される変調信号のコンスタレーションの各信号点がグレイマッピングの規則を満たすように協調変調することにより、すなわち前記コンスタレーションにマッピングされるいかなる二つの隣接する信号点に対応するシンボルのビット間での異なるビットの数を１にすることにより、セルの中心にあるＵＥの信号を復調するときに、予めセルの周辺にあるＵＥの信号を復調し且つその信号に対して干渉除去する必要がなく、受信機の複雑度合いを低下させることができる。
【図面の簡単な説明】
【０００８】
本発明の実施例を図面と共に詳しく説明することにより、本発明の上記及び他の目的、特徴、利点が更に明確になる。図面において、同一の参照符号は一貫して同一の素子を示す。
【０００９】
【図１】非直交多元接続（ＮＯＭＡ）システムにおいて複数のＵＥのためのデータを多重する方式を模式的に示す図。
【図２】本発明の実施例による送信装置及び送信方法を使用できる例示的な無線通信システムを示す図。
【図３】本発明の実施例による送信装置を示すブロック図。
【図４】周波数サブバンドにおいて二つのＵＥのためのデータのみを多重する場合に確定した変調信号のコンスタレーションの信号点の位置の例示を示す。
【図５】不規則的なコンスタレーションの例示を示す。
【図６】マッピングテーブルに基づいて二つのＵＥのための符号化信号のビットを図４（ｃ）に示すそれぞれの信号点に対応するシンボルにマッピングして得られるコンスタレーションの例示を示す。
【図７】周波数サブバンドにおいて二つのＵＥのためのデータを多重する場合に得られる変調信号のコンスタレーションの例示を示す。
【図８】周波数サブバンドにおいて二つのＵＥのためのデータを多重する場合に得られる変調信号のコンスタレーションのもう一つの例示を示す。
【図９】ＵＥ１のための変調信号のビットが００、０１、１０及び１１のときの、ＵＥ２のための変調信号のビットをマッピングする方式を示す。
【図１０】図９に示す方式により得られる変調信号のコンスタレーションの例示を示す。
【図１１】六つのビットを前記変調信号のコンスタレーションのそれぞれの信号点に対応するシンボルにマッピングするコンスタレーションの例示を示す。
【図１２】本発明の実施例による送信方法を示すフロー図。
【発明を実施するための形態】
【００１０】
以下、図面を参照しながら本発明の実施例による送信装置及び送信方法を説明する。
【００１１】
図２は本発明の実施例による送信装置及び送信方法を使用できる例示的な無線通信システムを示す図である。図２に示すように、前記無線通信システムは、基地局（ｅＮｏｄｅＢ）と当該基地局と通信をするＭ（Ｍ≧２）個のＵＥ即ちＵＥ１、ＵＥ２、…ＵＥＭを含む。基地局は上流装置（図に示さず）に接続されてもよく、これにより当該上流装置はコアネットワーク（図に示さず）に接続できるようになる。ここで用いられる前記ＵＥは、例えばモバイル端末（又は「移動局」という）や固定端末などの様々な種類のユーザ端末を含んでもよい。前記無線通信システムはＮＯＭＡ無線通信システムであってもよく、他の種類の無線通信システムであってもよい。
【００１２】
以下において、ＮＯＭＡ無線通信システムを例にとって本発明の実施例を説明し、この場合、基地局は複数のＵＥのためのデータをそれぞれの周波数リソースブロックに多重することができる。前記周波数リソースブロックは周波数サブバンドまたは他の種類のリソースブロックであってもよく、以下において周波数サブバンドを周波数リソースブロックの例示として本発明の実施例を説明する。
【００１３】
図３は本発明の実施例による送信装置のブロック図を模式的に示す。本実施例において、当該送信装置は図２に示す基地局の中に置かれて基地局の一部となっており、この場合は、基地局は当該送信装置以外にも他のＵＥ及び／又は上位装置と通信する素子を含んでもよいが、これらの素子は本発明の実施例の内容と無関係であるため、ここではその図示及び説明を省略する。他の実施例において、前記送信装置は基地局に操作可能に接続され、基地局の制御により以下に説明する操作を行ってもよい。
【００１４】
図３に示すように、送信装置１００は、スケジューラ１０１と、符号化部１０２と、変調部１０３と、送信部１０４と、を有してもよい。理解すべきことは、本発明においてスケジューラ１０１は送信装置１００の中に含まれると示しているが、他の実施例において、スケジューラ１０１は基地局の中に置かれ、送信装置１００の外部にあり、且つ関連情報を送信装置１００に提供できるよう通信可能に通信装置１００に接続されていてもよく、換言すれば、スケジューラ１０１は送信装置１００の一部でなくてもよい。
【００１５】
スケジューラ１０１はそれぞれの周波数サブバンドについて、どのＵＥのためのデータを当該周波数サブバンドに多重するかを決定するために、複数のＵＥをスケジューリングすることができる。そのため、それぞれのＵＥから、当該ＵＥと基地局の間の無線チャネル状況を反映する例えばチャネル品質インジケータ（ＣＱＩ）のチャネル状態情報（ＣＳＩ）を基地局にフィードバックし、スケジューラ１０１がそれぞれのＵＥからフィードバックされたＣＳＩに基づいて各ＵＥを上記スケジューリングできるようにしてもよい。
【００１６】
また、スケジューラ１０１は、さらに、各ＵＥからフィードバックされたＣＳＩに基づいて、それぞれの周波数サブバンドに多重された各ＵＥのためのデータの復調順序（即ち各ＵＥの逐次干渉除去（ＳＩＣ）順序）及び各ＵＥに割り当てられた電力及び変調・符号化方式（ＭＣＳ）を確定してもよい。スケジューラ１０１が、ＣＳＩに基づいて上記ＵＥをスケジューリングし、ＣＳＩに基づいて各ＵＥのＳＩＣ順序、電力、ＭＳＣを確定する方法は本分野において公知であるため、ここでは説明しない。また、特に断りのない限り、以下の説明では一つの周波数サブバンドについてのみ説明するが、当該説明は、実際にはそれぞれの周波数サブバンドに適用できる。
【００１７】
符号化部１０２は前記複数のＵＥのためのデータをそれぞれ対応する符号化信号に符号化できる。例えば、符号化部１０２は、各ＵＥに割り当てられたＭＣＳに基づいて、本分野において公知の符号化方法により、各ＵＥのためのデータに対して符号化操作を行い、各ＵＥのための符号化信号を生成してもよい。注意すべきことは、図１において一つの符号化部１０２のみを示しているが、複数の符号化部を設けて、それぞれの符号化部が一つのＵＥのためのデータを対応する符号化信号に符号化するようにしてもよい。
【００１８】
変調部１０３は、前記複数のＵＥのための符号化信号を協調変調して変調信号を生成することができる。本発明の実施例において、変調部１０３は、前記変調信号のコンスタレーションの各信号点がグレイマッピングの規則を満たすように、前記複数のＵＥのための符号化信号のビットを前記コンスタレーションのそれぞれの信号点に対応するシンボルにマッピングすることにより前記協調変調を行ってもよい。上記のように、グレイマッピングの規則とは、コンスタレーションにマッピングされるいかなる二つの隣接する信号点に対応するシンボルのビット間で、異なるビットの数が１であることをいう。
【００１９】
具体的には、上記のように、スケジューラ１０１は、それぞれの周波数サブバンド上でどのＵＥのためのデータを多重するか、及びそれぞれのＵＥに割り当てるＭＣＳを確定することができる。変調部１０３は、それぞれのＵＥに割り当てるＭＣＳに基づいて、前記変調信号のコンスタレーションのそれぞれの信号点に対応するシンボルにマッピングする、当該ＵＥのための符号化信号のビットの数を確定してもよい。より具体的には、変調部１０３はそれぞれのＵＥに割り当てるＭＳＣが示す変調方式に基づいて、前記変調信号のコンスタレーションのそれぞれの信号点に対応するシンボルにマッピングする当該ＵＥのための符号化信号のビットの数を確定する。
【００２０】
例えば、ＵＥに割り当てるＭＣＳが示す変調方式が４ＱＡＭ又はＱＰＳＫである場合、前記変調信号のコンスタレーションのそれぞれの信号点に対応するシンボルにマッピングする、当該ＵＥのための符号化信号のビットの数を２と確定し、ＵＥに割り当てるＭＣＳが示す変調方式が１６ＱＡＭである場合、前記変調信号のコンスタレーションのそれぞれの信号点に対応するシンボルにマッピングする当該ＵＥのための符号化信号のビットの数を４と確定し、ＵＥに割り当てるＭＣＳが示す変調方式が６４ＱＡＭである場合、前記変調信号のコンスタレーションのそれぞれの信号点に対応するシンボルにマッピングする当該ＵＥのための符号化信号のビットの数を６と確定してもよい。
【００２１】
そして、変調部１０３は、前記複数のＵＥに割り当てる電力及び上記ビット数（即ち、前記変調信号のコンスタレーションのそれぞれの信号点に対応するシンボルにマッピングする当該ＵＥのための符号化信号のビットの数）に基づいて、前記変調信号のコンスタレーションのそれぞれの信号点の位置を確定してもよい。
【００２２】
具体的には、まず、変調部１０３は、前記変調信号のコンスタレーションのそれぞれの信号点に対応するシンボルにマッピングする各ＵＥのための符号化信号のビットの総計を確定することにより、前記それぞれの信号点に対応するシンボルにマッピングするビットの総数Ｎを確定し、前記変調信号のコンスタレーションの信号点の数（２Ｎ）を確定する。例えば、周波数サブバンドにおいて、二つのＵＥのためのデータを多重し、且つ前記変調信号のコンスタレーションのそれぞれの信号点に対応するシンボルにマッピングする各ＵＥのための符号化信号のビットの総数Ｎが４である場合は、前記変調信号のコンスタレーションの信号点の数を１６と確定することができ、前記変調信号のコンスタレーションのそれぞれの信号点に対応するシンボルにマッピングするビットの総数Ｎが６である場合は、前記変調信号のコンスタレーションの信号点の数を６４と確定することができる。
【００２３】
そして、変調部１０３は、各ＵＥに割り当てる電力及び確定した信号点の数に基づいて、各信号点が前記コンスタレーションにおける位置を確定してもよい。具体的には、変調部１０３は、ＵＥ割当電力が大きい順に、各ＵＥの変調方式に基づいて各信号点が前記コンスタレーションにおける位置を確定してもよい。例えば、変調部１０３はまず前記コンスタレーションにおいて第１のＵＥ（割当電力が最も大きいＵＥ）の変調方式（即ち、当該ＵＥに割り当てたＭＣＳが指定する変調方式）に対応するＮ１個の信号点（以下、「第１の臨時信号点」という）の位置を確定してもよく、ただしそれぞれの第１の臨時信号点が前記コンスタレーションの原点の位置に対する位置は、当該第１のＵＥに割り当てる電力による。
【００２４】
例えば、第１のＵＥの変調方式がＱＰＳＫである場合は、Ｎ１＝４個の第１の臨時信号点を確定することができ、且つこれらの四つの第１の臨時信号点の座標は
【数１】
2016036136.tif 000003
であり、ただしＰ１は第１のＵＥに割り当てる電力である。そして、変調部１０３はそれぞれの第１の臨時信号点を原点として、第２のＵＥ（割当電力が二つ目に大きいＵＥ）の変調方式に対応するＮ２個の信号点（以下、「第２の臨時信号点」という）の位置を確定することにより、全部でＮ１×Ｎ２個の第２の臨時信号点の位置を確定してもよく、ただしそれぞれの第１の臨時信号点に基づいて確定したＮ２個の第２の臨時信号点が当該第１の臨時信号点に対する位置は、当該第２のＵＥに割り当てられた電力により定まる。
【００２５】
例えば、第２のＵＥの変調方式が１６ＱＡＭの場合は、それぞれの第１の臨時信号点に基づいてＮ２＝１６個の第２の臨時信号点を確定することができ、この１６個の第２の臨時信号点は対応する第１の臨時信号点を中心として、辺の長さが
【数２】
2016036136.tif 000004
である正方形のエリア内に均一に分布され、ただしＰ２は第２のＵＥに割り当てられる電力であり、且つ全部で６４個の信号点を確定する。同様の方式により、変調部１０３は残りのそれぞれのＵＥの変調方式に基づいて、順番に一つ前のＵＥについて確定したそれぞれの臨時信号点を原点として、現在のＵＥに対応する各臨時信号点の位置を確定し、且つ最後のＵＥ（割当電力が最も小さいＵＥ）の変調方式に基づいて確定したすべての臨時信号点の位置を前記変調信号のコンスタレーションの信号点の位置として確定してもよい。
【００２６】
図４は、周波数サブバンドにおいて二つのＵＥのためのデータのみを多重する場合に、これら二つのＵＥに割当てる電力及び前記変調信号のコンスタレーションのそれぞれの信号点に対応するシンボルにマッピングされるこれら二つのＵＥのための符号化信号のビットの数に基づいて確定された各信号点のコンスタレーションでの位置の例示を示す。当該例示において、セルの周辺にある第１のＵＥとセルの中心にある第２のＵＥの変調方式がいずれもＱＰＳＫであり、且つ第１のＵＥに割り当てる電力が第２のＵＥより大きいものとする場合、これらのコンスタレーションはそれぞれ図４（ａ）と（ｂ）に示すようになり、上記の方法によりこの二つのＵＥのための符号化信号を協調変調して得られる変調信号のコンスタレーションを確定することができ、図４（ｃ）に示すように、当該コンスタレーションは１６個の信号点を有し、各信号点に対応するシンボルｓは
【数３】
2016036136.tif 000005
と示すことができ、ｓ１とｓ２はそれぞれ第１のＵＥのシンボルおよび第２のＵＥのシンボルを示す。
【００２７】
注意すべきことは、前記コンスタレーションの信号点の位置は、各ＵＥに割当てられる電力に関係するため、各ＵＥに割当てる電力に応じて変化し、前記コンスタレーションは各信号点が均一に分布される規則的なコンスタレーションである可能性もあれば、各信号点が不均一に分布される不規則的なコンスタレーションである可能性もある。例えば、周波数サブバンドにおいて、二つのＵＥのためのデータを多重する場合、セルの周辺のＵＥに割当てられる電力Ｐ１とセルの中心のＵＥに割当てられる電力Ｐ２の比率が０．８：０．２であり、且つこれら二つのＵＥの変調方式がいずれもＱＰＳＫ変調である場合は、上記方式により確定されるコンスタレーションは１６ＱＡＭのコンスタレーションと同一であり、規則的なコンスタレーションとなる。一方、Ｐ１：Ｐ２＝０．７：０．３であり、且つセルの周辺にあるＵＥの変調方式がＱＰＳＫ変調であり、セルの中心にあるＵＥの変調方式が１６ＱＡＭ変調である場合は、上記方式により確定されるコンスタレーションは、図５に示すように、不規則的なコンスタレーションとなる。
【００２８】
前記変調信号のコンスタレーションの各信号点の位置が確定された後、変調部１０３は前記コンスタレーションの各信号点がグレイマッピングの規則を満たすように、前記複数のＵＥのための符号化信号のビットをそれぞれの信号点に対応するシンボルにマッピングする。本実施例において、二つのＵＥのためのデータのみを多重する場合は、変調部１０３は、セルの周辺にあるＵＥのための符号化信号のビットをそれぞれの信号点に対応するシンボルの上位ビットにマッピングし、且つセルの中心にあるＵＥのための符号化信号のビットを前記シンボルの下位ビットにマッピングする。二つ以上のＵＥのためのデータを多重する場合は、変調部１０３はそれぞれの信号点に対応するシンボルの上位ビットから各ＵＥのＳＩＣ順序に従って、各ＵＥのための符号化信号のビットを順番に前記シンボルにマッピングしてもよい。
【００２９】
変調部１０３は様々な方式を使用して上記ビットからシンボルへのマッピングを行ってもよい。一つ目のマッピング方式において、変調部１０３は、前記複数のＵＥのための符号化信号のビットと前記コンスタレーションのそれぞれの信号点に対応するシンボルの間のマッピング関係を示すマッピングテーブルに基づいて、前記複数のＵＥのための符号化信号のビットを前記コンスタレーションのそれぞれの信号点に対応するシンボルにマッピングしてもよい。当該マッピングテーブルは、予め定義されて基地局又はそれぞれのＵＥに記憶されていてもよい。当該マッピングテーブルのそれぞれの単位ブロックのビットでは、セルの周辺にあるＵＥのための符号化信号のビットが上位にあってもよく、セルの中心にあるＵＥのための符号化信号のビットが下位にあってもよい。
【００３０】
例えば、周波数サブバンドにおいて、ＵＥ１（セルの周辺にある）とＵＥ２（セルの中心にある）のためのデータを多重し、且つ前記変調信号のコンスタレーションのそれぞれの信号点に対応するシンボルにマッピングされるこれら二つのＵＥのための符号化信号のビットの数がそれぞれ２と２である場合は、前記変調信号は１６個の信号点を有し、したがって以下のテーブル１に示すマッピングテーブルを基地局とそれぞれのＵＥの中で予め定義し且つ記憶してもよい。
【表１】
2016036136.tif 000006
【００３１】
ただし、テーブル１においてそれぞれの単位ブロックは一つの信号点に対応している。以上より分かるように、テーブル１に示すマッピングテーブルのいかなる二つの隣接する端ブロックの間の異なるビットの数は１であり、これは当該マッピングテーブルに基づいて得られる変調信号のコンスタレーションのそれぞれの信号点はグレイマッピングの規則を満たしていることを表す。また、それぞれの単位ブロックのビットのうち、セルの周辺にあるＵＥ１のための符号化信号のビットは前二桁（上位）にあり、セルの中心にあるＵＥ２のための符号化信号のビットは後二桁（下位）にある。変調部１０３は当該マッピングテーブルにより定義されたマッピング関係に基づいて、各信号点がグレイマッピングの規則を満たすように、これら二つのＵＥのための符号化信号のビットを前記コンスタレーションのそれぞれの信号点に対応するシンボルにマッピングする。
【００３２】
図６は当該マッピングテーブルに基づいて図４（ｃ）に示す例示のそれぞれの信号点に対応するシンボルにこれら二つのＵＥのための符号化信号のビットをマッピングして得られる前記コンスタレーションである。グレイマッピングの規則に符合する信号点の配列方式は一通りだけではないため、上記予め定義されたマッピングテーブルも一通りだけではなく、例示にすぎないことに注意すべきである。
【００３３】
二つ目のマッピング方式において、前記マッピングテーブルを設けずに、基地局及びそれぞれのＵＥがすでに知っているマッピング方式に基づいて、各信号点がグレイマッピングの規則を満たすように、直接前記複数のＵＥのための符号化信号のビットを前記コンスタレーションのそれぞれの信号点に対応するシンボルにマッピングする。図７と図８は、周波数サブバンドにおいて二つのＵＥのためのデータを多重し、且つ前記変調信号のコンスタレーションのそれぞれの信号点に対応するシンボルにマッピングするこれら二つのＵＥのための符号化信号のビットの数がそれぞれ２と２である場合に、マッピングテーブルを使用せずにコンスタレーションを取得する例示を示す。
【００３４】
三つ目のマッピング方式において、前記コンスタレーションのそれぞれの信号点に対応するシンボルについて、変調部１０３は前記シンボルにマッピングするセルの周辺にあるＵＥのための符号化信号のビットを確定し、前記シンボルにマッピングするセルの周辺にあるＵＥのための符号化信号のビットに基づいて前記シンボルにマッピングするセルの中心にあるＵＥのための符号化信号のビットを確定する。換言すれば、変調部１０３は、ＩＳＣ順序に従って各ＵＥのための符号化信号のビットを逐次それぞれの信号点に対応するシンボルにマッピングし、ＳＩＣが必要なＵＥのための符号化信号のビットは前記シンボルの高位にマッピングされ、ＳＩＣが不要なＵＥのための符号化信号のビットは前記シンボルの下位にマッピングされる。
【００３５】
二つのＵＥの場合を例にとる。ＵＥ１がセルの周辺にあり、ＵＥ２がセルの中心にあり、前記変調信号のコンスタレーションのそれぞれの信号点に対応するシンボルにマッピングされるこれら二つのＵＥのための符号化信号のビットの数がそれぞれ２と２であるとした場合、基地局とＵＥの中で予め以下のようなマッピング規則を設けることができる。ＵＥ１のための変調信号のビットが００、０１、１０及び１１であるとき、図９（ａ）、図９（ｂ）、図９（ｃ）及び図９（ｄ）に示す方式によりそれぞれＵＥ２のための変調信号のビットをマッピングする。
【００３６】
協調変調を行うときは、変調部１０３は本分野において公知の任意の方法によりＵＥ１のための符号化信号のビットを前記コンスタレーションの各象限の信号点に対応するシンボルの上位（本例においては前二桁）にマッピングしてもよい。例えば、ＵＥ１のための変調信号のビットが００であるときは当該ビットを第１象限の各信号点に対応するシンボルの前二桁にマッピングしてもよく、ＵＥ１のための変調信号のビットが１０であるときは当該ビットを第２象限の各信号点に対応するシンボルの前二桁にマッピングしてもよく、ＵＥ１のための変調信号のビットが１１であるときは当該ビットを第３象限の各信号点に対応するシンボルの前二桁にマッピングしてもよく、ＵＥ１の変調信号のビットが０１であるときは当該ビットを第４象限の各信号点に対応するシンボルの前二桁にマッピングしてもよい。
【００３７】
そして、変調部１０３は、上記マッピング規則にしたがって、それぞれの信号点に対応するシンボルにマッピングされるＵＥ１のための符号化信号のビットに基づいて、前記シンボルにマッピングされるＵＥ２のための符号化信号のビットを確定して図１０に示すコンスタレーションを得ることができ、当該コンスタレーションの各信号点はグレイマッピングの規則に符合することは明らかである。同様に、グレイマッピングの規則に符合する信号点の排列方式は一通りだけではないため、上記マッピングの規則も一通りだけではなく、例示にすぎないことに注意すべきである。
【００３８】
以上の方式により、変調部１０３は取得された変調信号のコンスタレーションの各信号点はグレイマッピングの規則を満たすように前記複数のＵＥのための符号化信号を協調変調できる。
【００３９】
上記に示すように、上記の説明は一つの周波数サブバンドのみの場合である。複数の周波数サブバンドが存在する場合は、変調部１０３はそれぞれの周波数サブバンドに対して上記操作を行い、当該周波数サブバンドに多重されるＵＥのデータに対して上記の協調変調を行う。このとき、同一のＵＥのためのデータが複数の周波数バンドに多重される場合がある。この場合、異なる周波数サブバンドについて、当該周波数バンドに対応する変調信号のコンスタレーションのそれぞれの信号点に対応するシンボルにマッピングされる同一のＵＥのための符号化信号のビットの数は同一であってもよいし、異なってもよい。
【００４０】
例えば、第１の周波数サブバンドについて、対応する変調信号のそれぞれの信号点に対応するシンボルにマッピングされるいずれかのＵＥのための符号化信号のビットの数は２であってもよく、第２の周波数サブバンドについて、対応する変調信号のそれぞれの信号点に対応するシンボルにマッピングされる当該ＵＥのための符号化信号のビットの数は４であってもよい。また、異なる周波数サブバンドにおいて多重するＵＥの数も同一であってもよいし、異なってもよく、例えば第１の周波数サブバンドにおいて２つのＵＥのデータを多重し、第２の周波数サブバンドにおいて３つのＵＥのデータを多重し、したがって異なる周波数サブバンドについて変調部１０３が生成した各変調信号のコンスタレーションも同一であってもよいし、異なってもよい。
【００４１】
図１１は六つのビットを前記変調信号のコンスタレーションのそれぞれの信号点に対応するシンボルにマッピングしたコンスタレーションの例示を示す。一つの周波数サブバンドにおいて、これら６つのビットのうちの４ビットは第１のＵＥのための符号化信号に由来し、残りの２ビットは第２のＵＥのための符号化信号に由来してもよく、もう一つの周波数サブバンドにおいて、これら６つのビットのうちの２ビットは第１のＵＥのための符号化信号に由来し、残りの４ビットは第２のＵＥのための符号化信号に由来してもよく、もう一つの周波数サブバンドにおいて、これら６つのビットは、それぞれの３つのＵＥのための符号化信号に由来し、各ＵＥにつき２ビットとしてもよい。
【００４２】
上記方式により各ＵＥのための符号化信号を協調変調した後、変調部１０３は当該変調信号を送信部１０４に送信してもよい。
【００４３】
送信部１０４は、当該変調信号を受信できる。送信部１０４は、当該変調信号に各種処理（逆高速フーリエ変換、ＣＰ付加など）を行った後、当該変調信号をそれぞれのＵＥに送信してもよい。
【００４４】
以上から分かるように、本発明の実施例による上記送信装置を用いて、取得した変調信号のコンスタレーションの各信号点がグレイマッピングの規則を満たすように複数のＵＥのための符号化信号を協調変調することにより、下記のように、ＵＥの中で行われる復号操作の複雑度合いを低下させることができる。
【００４５】
本実施例において、送信部１０４は、当該変調信号を受信した各ＵＥに当該変調信号を復調させるために、当該変調信号を復調するための制御情報を送信してもよい。前記制御情報は、送信装置１００で当該変調信号のコンスタレーションのそれぞれの信号点に対応するシンボルにマッピングされる各ＵＥのための符号化信号のビットの数及び位置（即ち高位、中位または下位）を確定するために用いることができる。送信部１０４は動的シグナリング（例えば物理下りリンク制御チャネル（ＰＤＣＣＨ））により高い周波数で前記制御情報を送信してもよく、または半静的シグナリング（例えば無線リソース制御（ＲＲＣ）シグナリング）により低い周波数で前記制御情報を送信してもよく、または前記動的シグナリングと半静的シグナリングの組み合わせによって統合して前記制御情報を送信してもよい。
【００４６】
一つの実現方式において、前記制御情報は、それぞれのＵＥのＭＣＳを示す情報及びそれぞれのＵＥのＳＩＣ順序を示す情報を含んでもよい。上記のように、前記それぞれのＵＥのＭＣＳを示す情報は、前記コンスタレーションにおけるそれぞれの信号点に対応するシンボルにマッピングされる当該ＵＥのための符号化信号のビットの数を確定するために用いることができ、前記それぞれのＵＥのＳＩＣ順序を示す情報は、前記コンスタレーションにおけるそれぞれの信号点に対応するシンボルにマッピングされる当該ＵＥのための符号化信号のビットの位置を確定するために用いることができ、これによりＵＥは前記制御情報を用いて前記コンスタレーションにおけるそれぞれの信号点に対応するシンボルにマッピングされるそれぞれのＵＥのための符号化信号のビットの数と位置を確定して復調と復号を行うことができる。従来のＮＯＭＡシステムはそれぞれのＵＥのＭＣＳを示す情報及びそれぞれのＵＥのＳＩＣ順序を示す情報も送信するため、このような実現方式は従来のＮＯＭＡシステムのシグナリングを直接利用することができ、余分な変更を要しない。
【００４７】
もう一つの実現方式において、前記制御情報は、それぞれのＵＥのＳＩＣ順序を示す情報及び前記コンスタレーションにおけるそれぞれの信号点に対応するシンボルにマッピングされるそれぞれのＵＥのための符号化信号のビットの数を示す情報を含んでもよい。この場合、ＵＥはそれぞれのＵＥのＳＩＣ順序を示す情報に基づいて前記コンスタレーションにおけるそれぞれの信号点に対応するシンボルにマッピングされるそれぞれのＵＥのための符号化信号のビットの位置を確定し、且つ前記コンスタレーションにおけるそれぞれの信号点に対応するシンボルにマッピングされる当該ＵＥのための符号化信号のビットの数を示す情報に基づいて直接前記数を確定し、復調及び復号を行ってもよい。
【００４８】
もう一つの実現方式において、前記制御情報は、前記コンスタレーションにおけるそれぞれの信号点に対応するシンボルにマッピングされるそれぞれのＵＥのための符号化信号のビットの数及び位置を示す情報を含んでもよく、これによりＵＥは前記情報に基づいて直接前記数及び位置を確定することができ、前記ＭＣＳ及びＳＩＣ順序に基づいて間接的に前記数及び位置を確定しなくてもよいので、高い効率を有する。
【００４９】
前記変調信号及び制御情報を受信したそれぞれのＵＥは前記変調信号を復調、復号し、基地局が送信したデータビットに復元させる。具体的には、それぞれのＵＥは予め記憶されている上記マッピングテーブルまたはマッピング関係に基づいて、上記の送信装置１００について説明した方式と類似する方式により基地局が送信する変調信号のコンスタレーション及びそれぞれの信号点に対応するシンボルにマッピングするビットの数を確定してもよい。そして、それぞれのＵＥは、各シンボルを確定するために前記変調信号を復調し、且つ前記制御情報に基づいて前記コンスタレーションにおけるそれぞれの信号点に対応するシンボルにマッピングされる自己のための符号化信号のビットの数と位置を確定することができ、各シンボルの確定された位置にある確定された数のビットのＬＬＲを自己の復調部に入力して基地局が当該ＵＥに送信したビットを復元する。
【００５０】
例えば、前記変調信号のそれぞれのシンボルが６つのビットに対応し、且つ前記制御情報に基づいて前四桁のビットをＵＥ１に使用し、後二桁のビットをＵＥ２に使用する場合、ＵＥ１は前四桁のビットのＬＬＲを自己の復号部に入力してもよく、ＵＥ２は後二桁のビットのＬＬＲを自己の復号部に入力してもよい。注意すべきことは、規則的又は不規則的なコンスタレーションのいずれについても、ＵＥは本分野において公知の方式により復調することができ、不規則的なコンスタレーションについては、ＵＥは例えばM.  SurendraRaju,  A.  Ramesh,  A.  Chockalingam,  “BER  analysis  of  QAM  with  transmit  diversity  in  Rayleigh  fading  channels”,  Global  Telecommunications  Conference,  2003,  p.641-645に記載されている方法により復調してもよい。
【００５１】
以上から分かるように、送信装置の中で協調変調を行うことにより、ＵＥの中で各ＵＥのＳＩＣ順序に基づいて復号することが不要となり、即ちそれぞれのビットのＬＬＲを計算した後、対応する各ＵＥのビットのＬＬＲを当該ＵＥの復調部に送信してチャネル復号を行うことができ、干渉除去操作が不要となる。これにより、復号の複雑度合いを低下させて、受信機（例えばＵＥ）の複雑度合いを大幅に低下させると共に、受信機の性能は干渉除去を使用する通常の受信機の性能と同一又は近い。
【００５２】
以下、図１２を参照しながら本発明の実施例による送信方法を説明する。当該方法は、上記の送信装置により実行され、当該送信装置は基地局の中にあるか、基地局により制御することができる。
【００５３】
上記のように、前記送信方法を実行する前に、基地局は、どのＵＥのためのデータを当該周波数サブバンドに多重するかを決定するために、それぞれの周波数サブバンドについて複数のＵＥをスケジューリングしてもよい。例えば、基地局はそれぞれのＵＥがフィードバックしたＣＳＩに基づいて各ＵＥに対して上記スケジューリングを行ってもよい。また、基地局は各ＵＥがフィードバックしたＣＳＩに基づいてそれぞれの周波数サブバンドにおいて多重した各ＵＥのためのデータの復調順序（即ち各ＵＥのＳＩＣ順序）及び各ＵＥに割り当てる電力及びＭＣＳを確定してもよい。
【００５４】
図１２を参照し、ステップＳ１２０１において、前記複数のＵＥのためのデータをそれぞれ対応する符号化信号に符号化してもよい。例えば、各ＵＥに割り当てるＭＣＳに基づいて、本分野において公知の符号化方法により各ＵＥのためのデータに対して符号化操作を行い、各ＵＥのための符号化信号を生成する。
【００５５】
ステップＳ１２０２において、前記複数のＵＥのための符号化信号を協調変調して変調信号を生成してもよい。本発明の実施例において、前記変調信号のコンスタレーションの各信号点がグレイマッピングの規則を満たすように、前記複数のＵＥのための符号化信号のビットを前記変調信号のコンスタレーションのそれぞれの信号点に対応するシンボルにマッピングすることにより前記協調変調を行う。
【００５６】
具体的には、上記に示す方式に従い、それぞれのＵＥに割り当てるＭＣＳに基づいて前記変調信号のコンスタレーションのそれぞれの信号点に対応するシンボルにマッピングする当該ＵＥのための符号化信号のビットの数を確定してから、それぞれのＵＥに割り当てる電力及び上記ビット数（即ち、前記変調信号のコンスタレーションのそれぞれの信号点に対応するシンボルにマッピングする各ＵＥのための符号化信号のビットの数）に基づいて前記変調信号のコンスタレーションのそれぞれの信号点の位置を確定する。
【００５７】
前記変調信号のコンスタレーションの各信号点の位置を確定した後、前記コンスタレーションの各信号点がグレイマッピングの規則を満たすように、前記複数のＵＥのための符号化信号のビットをそれぞれの信号点に対応するシンボルにマッピングする。本実施例において、二つのＵＥのためのデータのみを多重する場合は、セル周辺にあるＵＥのための符号化信号のビットをそれぞれの信号点に対応するシンボルの上位ビットにマッピングし、且つセル中心にあるＵＥのための符号化信号のビットをそれぞれの信号点に対応するシンボルの下位ビットにマッピングしてもよい。二つ以上のＵＥのためのデータを多重する場合は、それぞれの信号点に対応するシンボルの上位ビットからＵＥに割り当てられた電力の大きい順（各ＵＥのＳＩＣ順序と反対の順序）に従って、各ＵＥのための符号化信号のビットを順番に前記シンボルにマッピングしてもよい。
【００５８】
本発明の実施例において、様々な方式を使用して上記ビットからシンボルへのマッピングを行ってもよい。一つ目のマッピング方式において、前記複数のＵＥのための符号化信号のビットと前記コンスタレーションのそれぞれの信号点に対応するシンボルの間のマッピング関係を示すマッピングテーブルに基づいて、前記複数のＵＥのための符号化信号のビットを前記コンスタレーションのそれぞれの信号点に対応するシンボルにマッピングしてもよい。当該マッピングテーブルは、予め定義されて基地局とそれぞれのＵＥに記憶されていてもよい。当該マッピングテーブルのそれぞれの単位ブロックのビットでは、セルの周辺にあるＵＥのための符号化信号のビットが上位にあってもよく、セルの中心にあるＵＥのための符号化信号のビットが下位にあってもよい。
【００５９】
二つ目のマッピング方式において、前記マッピングテーブルを設けずに、基地局とそれぞれのＵＥがすでに知っているマッピング方式に基づいて、各信号点がグレイマッピングの規則を満たすように、直接前記複数のＵＥのための符号化信号のビットを前記コンスタレーションのそれぞれの信号点に対応するシンボルにマッピングする。
【００６０】
三つ目のマッピング方式において、前記コンスタレーションのそれぞれの信号点に対応するシンボルについて、前記シンボルにマッピングするセルの周辺にあるＵＥのための符号化信号のビットを確定し、前記シンボルにマッピングするセルの周辺にあるＵＥのための符号化信号のビットに基づいて前記シンボルにマッピングするセルの中心にあるＵＥのための符号化信号のビットを確定する。換言すれば、ＵＥに割り当てる電力が大きい順（各ＵＥのＳＩＣ順序と反対の順序）に従って各ＵＥのための符号化信号のビットを逐次それぞれの信号点に対応するシンボルにマッピングし、高い電力が割り当てられるＵＥのための符号化信号のビットは前記シンボルの上位にマッピングされ、低い電力が割り当てられるＵＥのための符号化信号のビットは前記シンボルの下位にマッピングされる。
【００６１】
以上の方式により、変調部１０３は取得された変調信号のコンスタレーションの各信号点はグレイマッピングの規則を満たすように前記複数のＵＥのための符号化信号を協調変調できる。
【００６２】
上記のように、複数の周波数サブバンドが存在する場合は、それぞれの周波数サブバンドに対して上記操作を行い、当該周波数サブバンドに多重されるＵＥのデータに対して上記の協調変調を行う。この場合、異なる周波数サブバンドについて、当該周波数バンドに対応する変調信号のコンスタレーションのそれぞれの信号点に対応するシンボルにマッピングされる同一のＵＥのための符号化信号のビットの数は同一であってもよいし、異なってもよい。また、異なる周波数サブバンドに多重するＵＥの数は同一であってもよいし、異なってもよいため、異なる周波数サブバンドが生成した各変調信号のコンスタレーションも同一であってもよいし、異なってもよい。
【００６３】
続けて図１２を参照し、ステップＳ１２０３において、変調信号に対して様々な処理を行った後、当該変調信号を送信してもよい。
【００６４】
以上から分かるように、本発明の実施例による上記送信方法は、取得した変調信号のコンスタレーションの各信号点がグレイマッピングの規則を満たすように複数のＵＥのための符号化信号を協調変調することにより、受信機（例えばＵＥ）の中で行われる復号操作の複雑度合いを低下させ、当該受信機の複雑度合いを低下させることができる。
【００６５】
本実施例において、当該変調信号を受信した各ＵＥに当該変調信号を復調させるために、当該変調信号を復調するための制御情報を送信してもよい。前記制御情報は、送信装置１００で当該変調信号のコンスタレーションのそれぞれの信号点に対応するシンボルにマッピングされる各ＵＥのための符号化信号のビットの数及び位置を確定するために用いることができる。送信部１０４は動的シグナリング（例えばＰＤＣＣＨ）により高い周波数で前記制御情報を送信してもよく、または半静的シグナリング（例えばＲＲＣシグナリング）により低い周波数で前記制御情報を送信してもよく、または前記動的シグナリングと半静的シグナリングの組み合わせ（例えばＰＤＣＣＨとＲＲＣシグナリングの組み合わせ）により統合して前記制御情報を送信してもよい。
【００６６】
上記のように、一つの実現方式において、前記制御情報は、それぞれのＵＥのＭＣＳを示す情報及びそれぞれのＵＥのＳＩＣ順序を示す情報を含んでもよく、前記それぞれのＵＥのＭＣＳを示す情報は、前記コンスタレーションにおけるそれぞれの信号点に対応するシンボルにマッピングされる当該ＵＥのための符号化信号のビットの数を確定するために用いることができ、前記それぞれのＵＥのＳＩＣ順序を示す情報は、前記コンスタレーションにおけるそれぞれの信号点に対応するシンボルにマッピングされる当該ＵＥのための符号化信号のビットの位置を確定するために用いることができる。
【００６７】
もう一つの実現方式において、前記制御情報は、それぞれのＵＥのＳＩＣ順序を示す情報及び前記コンスタレーションにおけるそれぞれの信号点に対応するシンボルにマッピングされるそれぞれのＵＥのための符号化信号のビットの数を示す情報を含んでもよい。もう一つの実現方式において、前記制御情報は、前記コンスタレーションにおけるそれぞれの信号点に対応するシンボルにマッピングされるそれぞれのＵＥのための符号化信号のビットの数及び位置を示す情報を含んでもよい。
【００６８】
前記変調信号及び制御情報を受信した各ＵＥは、上記の方法に従って、前記変調信号を復調、復号し、送信装置（基地局）が送信したデータビットに復元させる。上記において復調及び復号の方式について説明したため、ここでは説明しない。上記において、受信機（例えばＵＥ）において復号するときは干渉除去操作を不要とするため、受信機の複雑度合いを大幅に低下させることができると共に受信機の性能は干渉除去を使用する通常の受信機の性能と同一又は近い。
【００６９】
以上において、本発明の実施例による送信装置及び送信方法を説明したが、これらの実施例は説明的なものにすぎず、非限定的である。例えば、上記において各ＵＥの逐次干渉除去の順序について言及したが、これは限定的なものではなく、前記逐次干渉除去に替えて、各ＵＥの干渉除去の順序を用いてもよい。また、上記にいくつかのビットからシンボルへのマッピング方法を提示したが、これらのマッピング方法は例示的なものに過ぎず、最終的に取得できる変調信号のコンスタレーションの各信号点がグレイマッピングの規則を満たせれば、他のマッピング方式を使用してもよい。
【００７０】
本発明の例示的な実施例を表示し説明したが、当業者は請求項及びその均等物により限定される本発明の範囲及び趣旨を逸脱しない限り、これらの例示的な実施例に対して様々な形式または詳細の変更を行うことができることを理解する。
【図３】
2016036136.tif 000007
【図４】
2016036136.tif 000008
【図５】
2016036136.tif 000009
【図６】
2016036136.tif 000010
【図７】
2016036136.tif 000011
【図８】
2016036136.tif 000012
【図９】
2016036136.tif 000013
【図１０】
2016036136.tif 000014
【図１１】
2016036136.tif 000015
【図１２】
2016036136.tif 000016
【図１】
2016036136.tif 000017
【図２】
2016036136.tif 000018